(57)【要約】【課題】屈曲形成された吸上げパイプを有するスプレーノズルを、容易、確実、自動的にかつ極めて効率よく容器本体に組み付けることができるようにする。【解決手段】液体を収容する容器本体３６と、該容器本体３６の開口部３６ａに装着されて液体を屈曲形成された吸上げパイプ１６により吸上げて吐出させるスプレーノズル１５とを組み付けるスプレーノズルの組付け装置１００であって、吸上げパイプ直線化装置１０と、挿入装置１１とを備え、吸上げパイプ直線化装置１０により屈曲した吸上げパイプ１６を直線状に弾性変形させた後、直線状に弾性変形させられた吸上げパイプ１６を挿入装置１１によって容器本体３６の開口部３６ａから挿入する構成を特徴とする。【選択図】図２
0003129259.tif 000002
【実用新案登録請求の範囲】
【請求項１】
液体を収容する容器本体と、該容器本体の開口部に装着されて前記液体を屈曲形成された吸上げパイプにより吸い上げて吐出するスプレーノズルとを有するスプレー装置における前記容器本体と前記スプレーノズルの組付け装置であって、屈曲した前記吸上げパイプを直線状に弾性変形させる吸上げパイプ直線化装置と、直線状に弾性変形させられた前記吸上げパイプを前記容器本体の前記開口部から挿入する挿入装置とを備えたことを特徴とするスプレーノズルの組付け装置。
【請求項２】
液体を収容する容器本体と、該容器本体の開口部に装着されて前記液体を屈曲形成された吸上げパイプにより吸い上げて吐出するスプレーノズルとを有するスプレー装置における前記容器本体と前記スプレーノズルの組付け装置であって、屈曲した前記吸上げパイプの中心を通る平面内において前記吸上げパイプを挟んで両側に配置された一対の伸張ローラを有する回動アームを備え、前記回動アームを回動させることにより、一方の前記伸張ローラを前記吸上げパイプの根元側に当接させると共に、他方の前記伸張ローラを前記吸上げパイプの先端側に当接させ、前記吸上げパイプの前記先端側を前記吸上げパイプの屈曲方向と反対側に弾性変形させて屈曲した前記吸上げパイプを直線状に弾性変形させる吸上げパイプ直線化装置と、直線状に弾性変形させられた前記吸上げパイプを前記容器本体の前記開口部から挿入する挿入装置とを備えたことを特徴とするスプレーノズルの組付け装置。
【請求項３】
液体を収容する容器本体と、該容器本体の開口部に装着されて前記液体を屈曲形成された吸上げパイプにより吸い上げて吐出するスプレーノズルとを有するスプレー装置における前記容器本体と前記スプレーノズルの組付け装置であって、前記容器本体を所定の位置に保持する容器保持装置と、互いに接近又は離間する方向に移動する把持部により前記スプレーノズルを把持する把持機構と、屈曲した前記吸上げパイプの中心を通る平面内において前記吸上げパイプを挟んで両側に配置された一対の伸張ローラを有する回動アームを備え、前記回動アームを回動させることにより、一方の前記伸張ローラを前記吸上げパイプの根元側に当接させると共に、他方の前記伸張ローラを前記吸上げパイプの先端側に当接させ、前記吸上げパイプの前記先端側を前記吸上げパイプの屈曲方向と反対側に弾性変形させて屈曲した前記吸上げパイプを直線状に弾性変形させる吸上げパイプ直線化装置と、前記把持機構により把持された前記スプレーノズルを前記容器本体に接近又は離間させる方向に移動させて直線状に弾性変形させられた前記吸上げパイプを前記容器本体の前記開口部から挿入する挿入装置とを備えたことを特徴とするスプレーノズルの組付け装置。
【考案の詳細な説明】
【技術分野】
【０００１】本考案は、スプレーノズルの組付け装置に係り、特に屈曲形成された吸上げパイプを直線状に弾性変形させてから容器本体に組み付けることによって、本来屈曲していて簡単には組み付けできない吸上げパイプを極めて容易、確実かつ自動的に容器本体に組み付けることができるようにして、非常に作業能率の優れたスプレーノズルの組付け装置に関する。
【背景技術】
【０００２】従来、容器本体に収容された薬液などの液体を霧状にして噴霧する簡易なスプレー装置として、ストレート形状の吸上げパイプが下方に向けて延設されると共に液体を霧状にするノズルが内蔵されたノズルユニットを、容器本体の開口部に形成された雌ねじに螺合させて固定したものが知られている。このスプレー装置は、レバーを往復操作することにより、収容する液体を吸上げパイプで吸い上げ、ノズルから霧状にして噴霧するものである。【０００３】  上記した構造のスプレー装置においては、収容する液体の残量が少なくなると、吸上げパイプの先端が液体の液面から出てしまい、すべての液体を吸上げパイプで吸い上げて噴霧することができず、残った液体が無駄になるという問題があった。一方、ストレート形状の吸上げパイプを有するノズルユニットの容器本体への組付けは、容器本体の開口部の真上に吸上げパイプの先端が位置するようにノズルユニットを配置し、ノズルユニットを下降させるだけで吸上げパイプを容器本体に容易に挿入することができ、簡単な構造の組付け装置により組み付けることができる利点を有する。【０００４】このように残った液体が無駄になるのをなくすため、図７において、ノズル５が内蔵されたノズルユニット３に、くの字形に屈曲形成された吸上げパイプ４を配設し、該ノズルユニット３のキャップ７を容器本体２の雌ねじ２ａに螺合させて組み付けたスプレー装置１がある。
このスプレー装置１の屈曲形成された吸上げパイプ４の先端４ａは、容器本体２の底部隅２ｂに位置する。よって、このスプレー装置１では、液体の残量が少なくなったとき、容器本体２を屈曲形成された吸上げパイプ４の先端４ａ側に傾けて残りの液体を一箇所に集めて吸上げパイプ４の先端４ａを液中に沈めることができるから、レバー６を操作して液体を無駄なく噴霧することができる。【０００５】しかし、吸上げパイプ４を容器本体２に組み付けるとき、図８に示すように、吸上げパイプ４が、くの字形に屈曲形成されているので簡単には組み付けることができない。即ち、吸上げパイプ４のストレート部４ｂを容器本体２の開口部上方に位置させてノズルユニット３を下降させると、吸上げパイプ４の先端４ａが容器本体２に挿入されず、また吸上げパイプ４の先端４ａを容器本体２の開口部上方に位置させてノズルユニット３を下降させると、先端４ａのみが容器本体２に挿入された状態となって吸上げパイプ４が屈曲部で折り曲げられる結果となる。このため、屈曲形成された吸上げパイプ４を有するノズルユニット３の組付けは、従来、手作業などで実施されており、効率的でない問題があった。【０００６】なお、本願出願人及び考案者は、本願考案に関する特許文献及び非特許文献を知らないので、その記載を省略する。
【考案の開示】
【考案が解決しようとする課題】
【０００７】本考案は、上記した従来技術の欠点を除くためになされたものであって、その目的とするところは、スプレーノズルの組付け装置が、屈曲した吸上げパイプを直線状に弾性変形させる吸上げパイプ直線化装置と、吸上げパイプを容器本体の開口部から挿入する挿入装置とを備え、吸上げパイプ直線化装置によって屈曲した吸上げパイプを直線状に弾性変形させた後、容器本体の開口部から挿入するように構成することによって、吸上げパイプが屈曲していても容易、確実かつ非常に効率よく容器本体に組み付けることができるようにすることである。【０００８】また他の目的は、吸上げパイプ直線化装置が、屈曲した吸上げパイプの中心を通る平面内において吸上げパイプを挟んで両側に配置された一対の伸張ローラを有する回動アームを備え、一方の伸張ローラを吸上げパイプの根元側に、他方の伸張ローラを吸上げパイプの先端側に当接させて回動アームを回動させて吸上げパイプの先端側を屈曲方向と反対側に弾性変形させて直線状に弾性変形させるように構成することによって、簡単な機構で確実に屈曲した吸上げパイプを直線状に弾性変形させることができるようにすることであり、またこれによって吸上げパイプが屈曲していても容易、確実かつ非常に効率よく容器本体に組み付けることができるようにすることである。【０００９】更に、他の目的は、容器本体を所定の位置に保持する容器保持装置と、把持部によりスプレーノズルを把持する把持機構と、屈曲した吸上げパイプを一対の伸張ローラを有する回動アームにより直線状に弾性変形させる吸上げパイプ直線化装置と、把持機構により把持されたスプレーノズルを移動させて直線状に弾性変形させた吸上げパイプを容器本体の開口部から挿入する挿入装置とを備え、屈曲した吸上げパイプを直線状に弾性変形させ、更に容器本体の開口部から挿入するように構成することによって、スプレーノズルを自動的に容器本体に組み付けることがきるようにすることであり、またこれによって吸上げパイプが屈曲していても容易、確実かつ非常に効率よく容器本体に組み付けることができるようにすることである。
【課題を解決するための手段】
【００１０】  要するに本考案（請求項１）は、液体を収容する容器本体と、該容器本体の開口部に装着されて前記液体を屈曲形成された吸上げパイプにより吸い上げて吐出するスプレーノズルとを有するスプレー装置における前記容器本体と前記スプレーノズルの組付け装置であって、屈曲した前記吸上げパイプを直線状に弾性変形させる吸上げパイプ直線化装置と、直線状に弾性変形させられた前記吸上げパイプを前記容器本体の前記開口部から挿入する挿入装置とを備えたことを特徴とするものである。【００１１】また本考案（請求項２）は、液体を収容する容器本体と、該容器本体の開口部に装着されて前記液体を屈曲形成された吸上げパイプにより吸い上げて吐出するスプレーノズルとを有するスプレー装置における前記容器本体と前記スプレーノズルの組付け装置であって、屈曲した前記吸上げパイプの中心を通る平面内において前記吸上げパイプを挟んで両側に配置された一対の伸張ローラを有する回動アームを備え、前記回動アームを回動させることにより、一方の前記伸張ローラを前記吸上げパイプの根元側に当接させると共に、他方の前記伸張ローラを前記吸上げパイプの先端側に当接させ、前記吸上げパイプの前記先端側を前記吸上げパイプの屈曲方向と反対側に弾性変形させて屈曲した前記吸上げパイプを直線状に弾性変形させる吸上げパイプ直線化装置と、直線状に弾性変形させられた前記吸上げパイプを前記容器本体の前記開口部から挿入する挿入装置とを備えたことを特徴とするものである。【００１２】また本考案（請求項３）は、液体を収容する容器本体と、該容器本体の開口部に装着されて前記液体を屈曲形成された吸上げパイプにより吸い上げて吐出するスプレーノズルとを有するスプレー装置における前記容器本体と前記スプレーノズルの組付け装置であって、前記容器本体を所定の位置に保持する容器保持装置と、互いに接近又は離間する方向に移動する把持部により前記スプレーノズルを把持する把持機構と、屈曲した前記吸上げパイプの中心を通る平面内において前記吸上げパイプを挟んで両側に配置された一対の伸張ローラを有する回動アームを備え、前記回動アームを回動させることにより、一方の前記伸張ローラを前記吸上げパイプの根元側に当接させると共に、他方の前記伸張ローラを前記吸上げパイプの先端側に当接させ、前記吸上げパイプの前記先端側を前記吸上げパイプの屈曲方向と反対側に弾性変形させて屈曲した前記吸上げパイプを直線状に弾性変形させる吸上げパイプ直線化装置と、前記把持機構により把持された前記スプレーノズルを前記容器本体に接近又は離間させる方向に移動させて直線状に弾性変形させられた前記吸上げパイプを前記容器本体の前記開口部から挿入する挿入装置とを備えたことを特徴とするものである。
【考案の効果】
【００１３】本考案は、上記のように、スプレーノズルの組付け装置が、屈曲した吸上げパイプを直線状に弾性変形させる吸上げパイプ直線化装置と、吸上げパイプを容器本体の開口部から挿入する挿入装置とを備え、吸上げパイプ直線化装置によって屈曲した吸上げパイプを直線状に弾性変形させた後、容器本体の開口部から挿入するように構成したので、吸上げパイプが屈曲していても容易、確実かつ非常に効率よく容器本体に組み付けることができるという効果がある。【００１４】また吸上げパイプ直線化装置が、屈曲した吸上げパイプの中心を通る平面内において吸上げパイプを挟んで両側に配置された一対の伸張ローラを有する回動アームを備え、一方の伸張ローラを吸上げパイプの根元側に、他方の伸張ローラを吸上げパイプの先端側に当接させて回動アームを回動させて吸上げパイプの先端側を屈曲方向と反対側に弾性変形させて直線状に弾性変形させる構成したので、簡単な機構でありながら確実に屈曲した吸上げパイプを直線状に弾性変形させることができる効果があり、またこの結果吸上げパイプが屈曲していても容易、確実かつ非常に効率よく容器本体に組み付けることができるという効果が得られる。【００１５】更には、容器本体を所定の位置に保持する容器保持装置と、把持部によりスプレーノズルを把持する把持機構と、屈曲した吸上げパイプを一対の伸張ローラを有する回動アームにより直線状に弾性変形させる吸上げパイプ直線化装置と、把持機構により把持されたスプレーノズルを移動させて直線状に弾性変形させた吸上げパイプを容器本体の開口部から挿入する挿入装置とを備え、屈曲した吸上げパイプを直線状に弾性変形させ、更に容器本体の開口部から挿入するように構成したので、スプレーノズルを自動的に容器本体に組み付けることがきる効果があり、またこの結果吸上げパイプが屈曲していても容易、確実かつ非常に効率よく容器本体に組み付けることができるという効果がある。
【考案を実施するための最良の形態】
【００１６】以下本考案を図面に示す実施例に基づいて説明する。図１および図２において、本考案に係るスプレーノズルの組付け装置１００は、吸上げパイプ直線化装置１０と、挿入装置１１と、把持機構１２と、容器保持装置１３とを備えている。【００１７】図１から図４において、吸上げパイプ直線化装置１０は、スプレーノズル１５に固着され、くの字形に屈曲形成された吸上げパイプ１６を直線状に弾性変形させるためのものであって、一対の伸張ローラ１７を有する回動アーム１８を備えている。回動アーム１８の両端は、略Ｕ字形に形成されており、Ｕ字形部の内側には、夫々伸張ローラ１７が支持軸３０によって回動自在に配設されている。回動アーム１８を固定支持する支持ブロック１９には、シリンダ取付アーム２０が固定されると共に、断面六角形の六角棒２１が回動アーム１８の長手方向と直角に固定されている。【００１８】図３において、スプレーノズルの組付け装置１００の基台２２から立設された支持台２３には、ガイド機構２４が配設されている。ガイド機構２４は、六角棒２１を軸方向に摺動可能、かつ回転可能に支持するものであり、回転部材２６が軸受２５によって回動自在に配設されている。回転部材２６の中心には、六角棒２１を摺動自在に嵌合させる六角孔２７ａが形成されたガイドブロック２７が固定されている。これにより、六角棒２１は、ガイドブロック２７の六角孔２７ａに摺動して軸方向に移動自在であり、かつガイドブロック２７と共に回転可能に支持される。【００１９】図４および図５において、ガイド機構２４近傍の六角棒２１には、板状の操作アーム３１が装着されている。操作アーム３１は、六角棒２１が摺動自在に嵌合する六角孔３１ａが中心に形成されており、その一端３１ｂには、基端部３２ａが支持台２３に揺動自在に配設された直線化シリンダ３２のピストンロッド３３が枢着されている。また他の一端３１ｃには、六角棒２１と平行に配設された作動シリンダ３４が固定されている。作動シリンダ３４のピストンロッド３５の先端は、シリンダ取付アーム２０に固定されている。【００２０】そして作動シリンダ３４を作動させてピストンロッド３５を伸縮させると、六角棒２１がガイド機構２４のガイドブロック２７の六角孔２７ａに摺動して回動アーム１８と共に水平方向に移動するようになっている。なお、作動シリンダ３４のピストンロッド３５が伸張したとき、回動アーム１８は吸上げパイプ１６を直線状に弾性変形させる作動位置ＷＰに位置し、ピストンロッド３５を作動シリンダ３４内に引き込んだとき、回動アーム１８は待機位置ＥＰに位置するようになっている。また回動アーム１８が作動位置ＷＰにあるとき、一対の伸張ローラ１７（１７Ａ，１７Ｂ）は、屈曲した吸上げパイプ１６の中心を通る平面Ｐ内において吸上げパイプ１６を挟んで両側に位置するように構成されている。【００２１】直線化シリンダ３２を作動させてピストンロッド３３を伸縮させると、操作アーム３１は、六角棒２１の中心を回転中心として回動するようになっている。これにより、操作アーム３１およびシリンダ取付アーム２０に固定されている作動シリンダ３４、回動アーム１８、および一対の伸張ローラ１７は、六角棒２１の中心を回転中心として回動するように構成されている。【００２２】回動アーム１８が回動すると、一方の伸張ローラ１７Ａは吸上げパイプ１６の根元側１６ａに当接し、他方の伸張ローラ１７Ｂは吸上げパイプ１６の先端側１６ｂに当接するようになっている。そして吸上げパイプ１６の先端側１６ｂを吸上げパイプ１６の屈曲方向と反対側に弾性変形させて屈曲した吸上げパイプ１６を直線状に弾性変形させるようになっている。【００２３】図１において、挿入装置１１は、把持機構１２によりキャップ４３が把持されたスプレーノズル１５を、容器本体３６に接近又は離間させる方向（上下方向）に移動させて直線状に弾性変形させられた吸上げパイプ１６を容器本体３６の開口部３６ａから挿入するためのものであって、基台２２に平行に配設された一対のリニアガイド５１に案内されて水平方向に移動自在に構成された水平移動台４８上に配設されている。水平移動台４８には、シリンダ５２のピストンロッドが接続されており、水平移動台４８はシリンダ５２により移動させられるようになっている。【００２４】水平移動台４８に平行に立設された一対のガイドロッド３７の上端には、シリンダ支持台３８が水平に固定されている。シリンダ支持台３８には、挿入シリンダ３９が下向きに取り付けられている。挿入シリンダ３９のビストンロッド４０は、ガイドブッシュ４１を介してガイドロッド３７に上下移動自在に配設された把持機構移動台４２に固定されている。そして、挿入シリンダ３９を作動させることにより把持機構１２を上下方向に移動させるようになっている。【００２５】把持機構１２は、スプレーノズル１５のキャップ４３を、把持部である互いに対向配置された４個のローラ４７で挟持するためのものであって、シリンダ４４およびラックピニオン機構（図示せず）によって互いに接近または離間する方向に水平移動する移動ブロック４５を備えている。移動ブロック４５には、下端部にそれぞれローラ４７が固定された４本の回転軸４６が回動自在に配設されている。そしてシリンダ４４によりラックピニオン機構を作動させて移動ブロック４５を互いに接近する方向に移動させ、これにより４個のローラ４７がキャップ４３を挟持するようになっている。またローラ４７を回転させてキャップ４３の雌ねじを容器本体３６の開口部３６ａに形成された雄ねじに螺合させるようになっている。【００２６】図１において、容器保持装置１３は、容器本体３６を水平移動台４８上の所定の位置に保持するためのものであって、容器本体３６の中間部を支持して位置決めする容器支持アーム４９、４９と、容器本体３６の開口部３６ａ近傍を保持する支持板５０とを有する。【００２７】本考案は、上記のように構成されており、以下その作用について説明する。本考案のスプレーノズルの組付け装置１００は、図１および図２において、まず、挿入シリンダ３９のビストンロッド４０を挿入シリンダ３９内に引き込み、把持機構１２を上昇位置に位置させる。この状態で容器本体３６を水平移動台４８上に載せて容器支持アーム４９、４９および支持板５０で支持して位置決めする。
更にシリンダ４４およびラックピニオン機構を作動させて把持機構１２の４個のローラ４７でスプレーノズル１５のキャップ４３を挟持して保持させる。そしてシリンダ５２を作動させて水平移動台４８を水平方向に移動させ、容器本体３６およびスプレーノズル１５を水平移動台４８ごと所定の位置に移動させる。このとき、容器本体３６の開口部３６ａの真上にスプレーノズル１５のキャップ４３が位置する。【００２８】次いで、図３から図５において、作動シリンダ３４を作動させてピストンロッド３５を伸張させると、回動アーム１８は待機位置ＥＰから作動位置ＷＰに移動する。
このとき、六角棒２１は、ガイド機構２４のガイドブロック２７の六角孔２７ａに摺動して案内されて水平方向に延びる。また、一対の伸張ローラ１７（１７Ａ，１７Ｂ）は、屈曲した吸上げパイプ１６の中心を通る平面Ｐ内において吸上げパイプ１６を挟んで両側に位置している。【００２９】図６において、直線化シリンダ３２を作動させてピストンロッド３３を矢印Ａ方向に伸張させると、操作アーム３１が六角棒２１の中心を回転中心として矢印Ｂ方向に回動する。操作アーム３１の回動は、六角棒２１、支持ブロック１９を介して回動アーム１８に伝達されて回動アーム１８を矢印Ｂ方向に回動させる。これにより、一方の伸張ローラ１７Ａは吸上げパイプ１６の根元側１６ａに当接し、他方の伸張ローラ１７Ｂは吸上げパイプ１６の先端側１６ｂに当接して、吸上げパイプ１６の先端側１６ｂを吸上げパイプ１６の屈曲方向と反対側（矢印Ｃ方向）に弾性変形させる。これにより、屈曲した吸上げパイプ１６は、図６において二点鎖線で示す屈曲した状態から実線で示す直線状に弾性変形させられる。【００３０】図１および図２において、吸上げパイプ１６を直線状に弾性変形させた状態で、挿入シリンダ３９のビストンロッド４０を伸張させると、吸上げパイプ１６の先端１６ｃは、容器本体３６の開口部３６ａに支障なく挿入される。吸上げパイプ１６の先端１６ｃが所定の長さ開口部３６ａから挿入された後、直線化シリンダ３２を先とは逆方向に作動させて一対の伸張ローラ１７Ａ、１７Ｂによる吸上げパイプ１６の拘束を解除する。なお、吸上げパイプ１６の拘束を解除しても、吸上げパイプ１６の先端１６ｃが既に開口部３６ａから挿入されているので、その後の挿入作業の障害となることはない。更に、作動シリンダ３４を先とは逆方向に作動させてピストンロッド３５を引き込み、回動アーム１８を作動位置ＷＰから待機位置ＥＰに移動させる。【００３１】次いで、挿入シリンダ３９のビストンロッド４０を更に伸張させ、４個のローラ４７で保持するスプレーノズル１５のキャップ４３を容器本体３６の開口部３６ａに当接させた後、４個のローラ４７を回転させてキャップ４３を開口部３６ａに螺合させてスプレーノズル１５を容器本体３６に組み付ける。【００３２】次いで、シリンダ４４を作動させて把持機構１２による４個のローラ４７の挟持を解放し、更に、挿入シリンダ３９を作動させてビストンロッド４０を引き込むと共に、シリンダ５２を先とは逆の方向に作動させて把持機構１２および水平移動台４８を元の位置に復帰させる。以後、同様の操作を繰り返し行ってスプレーノズル１５を容器本体３６に自動的に組み付けることができる。【００３３】上記したように、本考案のスプレーノズルの組付け装置１００によれば、屈曲した吸上げパイプ１６を吸上げパイプ直線化装置１０により直線状に弾性変形させた後、容器本体３６の開口部３６ａから挿入させるようにしたので、屈曲形成された吸上げパイプ１６を有するスプレーノズル１５を、容器本体３６に容易、確実、自動的にかつ極めて効率よく容器本体に組み付けることができる。
【図面の簡単な説明】
【００３４】
【図１】図面は本考案の実施例に係り、図１はスプレーノズルの組付け装置の部分縦断面側面図である。
【図２】スプレーノズルの組付け装置の正面図である。
【図３】スプレーノズルの組付け装置の要部拡大部分縦断面側面図である。
【図４】吸上げパイプ直線化装置の部分拡大平面図である。
【図５】屈曲した吸上げパイプに吸上げパイプ直線化装置がセットされた状態を示す要部拡大正面図である。
【図６】吸上げパイプ直線化装置により屈曲した吸上げパイプが直線状に弾性変形させられる状態を示す要部拡大正面図である。
【図７】容器本体とスプレーノズルの組付け前の状態を示す正面図である。
【図８】直線状に弾性変形させられた吸上げパイプが容器本体の開口部から挿入されて組み付けられる状態を示す正面図である。
【符号の説明】
【００３５】    １      スプレー装置
１０      吸上げパイプ直線化装置
１１      挿入装置
１２      把持機構
１３      容器保持装置
１５      スプレーノズル
１６      吸上げパイプ
１６ａ    吸上げパイプの根元側
１６ｂ    吸上げパイプの先端側
１７Ａ    伸張ローラ
１７Ｂ    伸張ローラ
１８      回動アーム
３６      容器本体
３６ａ    開口部
４７      ローラ（把持部）
１００      スプレーノズルの組付け装置
【図１】
0003129259.tif 000003
【図２】
0003129259.tif 000004
【図３】
0003129259.tif 000005
【図４】
0003129259.tif 000006
【図５】
0003129259.tif 000007
【図６】
0003129259.tif 000008
【図７】
0003129259.tif 000009
【図８】
0003129259.tif 000010